(57)【要約】【課題】分割アウタレースの当接部分と転動体との衝突を防止し、しかも、転動体を好適に潤滑すること。【解決手段】一対の半円環状の分割アウタレースを含み、クランク軸を支持する転がり軸受と、前記転がり軸受が装着される円形軸受孔の半分を形成する軸受部を有するエンジン本体部材と、前記軸受部に固定され、前記円形軸受孔の残り半分を形成するキャップ部材と、を備えたエンジンの軸受装置において、前記軸受部と前記キャップ部材との接合部と、前記一対の分割アウタレースとの間に形成された隙間部と、前記隙間部に連通した給油通路と、を備え、前記一対の分割アウタレースの、互いに当接する各当接部が前記隙間部の内側に位置するように前記一対の分割アウタレースが配置され、かつ、前記当接部は、当接方向の力が作用した場合に、径方向外方への前記当接部の変位を促進させる形状を有することを特徴とする。【選択図】図５
2010223267.tif 000002
【特許請求の範囲】
【請求項１】
一対の半円環状の分割アウタレースを含み、クランク軸を支持する転がり軸受と、
前記転がり軸受が装着される円形軸受孔の半分を形成する軸受部を有するエンジン本体部材と、
前記軸受部に固定され、前記円形軸受孔の残り半分を形成するキャップ部材と、
を備えたエンジンの軸受装置において、
前記軸受部と前記キャップ部材との接合部と、前記一対の分割アウタレースとの間に形成された隙間部と、
前記隙間部に連通した給油通路と、を備え、
前記一対の分割アウタレースの、互いに当接する各当接部が前記隙間部の内側に位置するように前記一対の分割アウタレースが配置され、かつ、前記当接部は、当接方向の力が作用した場合に、径方向外方への前記当接部の変位を促進させる形状を有することを特徴とするエンジンの軸受装置。
【請求項２】
前記隙間部が、前記軸受部及び前記キャップ部材の内周面に形成された凹部により形成され、
前記当接部は、径方向外方側が先当たりする傾斜面であることを特徴とする請求項１に記載のエンジンの軸受装置。
【請求項３】
前記隙間部が、前記当接部近傍において前記一対の分割アウタレースの外周面に形成された切り欠き部により形成され、
一方の前記分割アウタレースの前記当接部が楔形状の凸部であり、
他方の前記分割アウタレースの前記当接部が楔形状の凹部であり、
前記凸部及び前記凹部の径方向外側の面の当接方向に対する傾斜角度が、前記凸部及び前記凹部の径方向内側の面の当接方向に対する傾斜角度よりも大きいことを特徴とする請求項１に記載のエンジンの軸受装置。
【請求項４】
前記給油通路が前記エンジン本体部材に形成され、
前記給油通路は、その上流部が前記エンジン本体部材に形成されたオイルギャラリに連通し、その下流部が前記円形軸受孔に対する接線方向に延在して前記隙間部に連通していることを特徴とする請求項１乃至３のいずれか１項に記載のエンジンの軸受装置。
【請求項５】
前記エンジン本体部材と前記キャップ部材とがアルミ合金製であることを特徴とする請求項１乃至４のいずれか１項に記載のエンジンの軸受装置。
【発明の詳細な説明】
【技術分野】
【０００１】
本発明は、エンジンの軸受装置に関し、特に、クランク軸を転がり軸受で支持した軸受装置に関する。
【背景技術】
【０００２】
エンジンのクランク軸の軸受装置として、転がり軸受を用いたものが提案されている。。転がり軸受は、一般には、複数の転動体を保持した環状の保持器と、アウタレース（外輪）と、から構成される。アウタレースは、転がり軸受が装着される軸受孔の内周面を保護する役割がある。多気筒エンジンのクランク軸は、アーム部やカウンタウエイト部を有するため、転がり軸受をその端部から所望のジャーナル部等へ挿入することは困難である。このため、通常は、アウタレースと保持器とをそれぞれ半割りの一対のもの（分割アウターレース、分割保持器）として構成し、これらをジャーナル部の径方向から組み込むようにしている。
【０００３】
しかし、組み付け誤差により分割アウタレースの当接部分に段差が生じる場合がある。この段差に転動体が衝突することにより、異音が発生したり、転動体の磨耗を招いて転がり軸受の寿命が短くなる場合がある。そこで、特許文献１には、一対の分割アウタレースの当接部分において、分割アウタレースの内周面をえぐるようにして薄肉化することで、転動体と段差との衝突を回避したものが開示されている。
【先行技術文献】
【特許文献】
【０００４】
【特許文献１】特開２００７−２９１４号公報
【発明の概要】
【発明が解決しようとする課題】
【０００５】
ここで、シリンダブロック等の部品は、エンジンの軽量化のためにアルミ合金製とされることが多くなっている一方、分割アウタレースは軸受孔の内周面を保護する役割があることから鉄製のままとされている。アルミ合金は、鉄よりも熱膨張・収縮が大きく、エンジン冷間時の収縮により分割アウタレースの当接部分が内側に変位して転動体と衝突する場合がある。また、転がり軸受の転動体には潤滑油の供給が必要であるが、多量に供給されると却って転動体の転動に抵抗する要素となる。よって、比較的少量の潤滑油が供給されることが好ましく、特に、潤滑油がミスト状で供給されることが好ましい。
【０００６】
本発明の目的は、アウタレースの当接部分と転動体との衝突を防止し、しかも、転動体を好適に潤滑することにある。
【課題を解決するための手段】
【０００７】
本発明によれば、一対の半円環状の分割アウタレースを含み、クランク軸を支持する転がり軸受と、前記転がり軸受が装着される円形軸受孔の半分を形成する軸受部を有するエンジン本体部材と、前記軸受部に固定され、前記円形軸受孔の残り半分を形成するキャップ部材と、を備えたエンジンの軸受装置において、前記軸受部と前記キャップ部材との接合部と、前記一対の分割アウタレースとの間に形成された隙間部と、前記隙間部に連通した給油通路と、を備え、前記一対の分割アウタレースの、互いに当接する各当接部が前記隙間部の内側に位置するように前記一対の分割アウタレースが配置され、かつ、前記当接部は、当接方向の力が作用した場合に、径方向外方への前記当接部の変位を促進させる形状を有することを特徴とするエンジンの軸受装置が提供される。
【０００８】
この軸受装置では、前記当接部の径方向外方には前記隙間部が位置しており、冷間時に前記エンジン本体部材に熱収縮が生じても、また、組付け時に分割アウタレースの当接部同士に位置ずれがあっても、前記当接部が径方向外方へ変位することから、その変位を阻害されない。よって、分割アウタレースの当接部分と転動体との衝突を防止することができる。また、前記隙間部を利用して潤滑油を噴出させることで、転動体に雰囲気給油をすることができ、転動体を好適に潤滑できる。
【０００９】
本発明においては、前記隙間部が、前記軸受部及び前記キャップ部材の内周面に形成された凹部により形成され、前記当接部は、径方向外方側が先当たりする傾斜面であってもよい。この構成によれば、比較的簡易な構成で、径方向外方への前記当接部の変位を促進できる。
【００１０】
また、本発明においては、前記隙間部が、前記当接部近傍において前記一対の分割アウタレースの外周面に形成された切り欠き部により形成され、一方の前記分割アウタレースの前記当接部が楔形状の凸部であり、他方の前記分割アウタレースの前記当接部が楔形状の凹部であり、前記凸部及び前記凹部の径方向外側の面の当接方向に対する傾斜角度が、前記凸部及び前記凹部の径方向内側の面の当接方向に対する傾斜角度よりも大きくてもよい。この構成によれば、前記分割アウタレースの構成で、前記隙間部が構成されるので、前記分割アウタレース側の構成で、分割アウタレースの当接部分と転動体との衝突を防止し、しかも、転動体を好適に潤滑することができる。
【００１１】
また、本発明においては、前記給油通路が前記エンジン本体部材に形成され、前記給油通路は、その上流部が前記エンジン本体部材に形成されたオイルギャラリに連通し、その下流部が前記円形軸受孔に対する接線方向に延在して前記隙間部に連通していてもよい。この構成によれば、前記給油通路を比較的簡便に形成できる。
【００１２】
また、本発明においては、前記エンジン本体部材と前記キャップ部材とがアルミ合金製であってもよい。本発明は、前記エンジン本体部材及び前記キャップ部材を、熱収縮が大きいアルミ合金製とした場合に特に効果的である。
【発明の効果】
【００１３】
以上述べた通り、本発明によれば、分割アウタレースの当接部分と転動体との衝突を防止し、しかも、転動体を好適に潤滑することができる。
【図面の簡単な説明】
【００１４】
【図１】本発明を適用したエンジンの例を示す図であり、シリンダブロック１の気筒列方向の断面図である。
【図２】図１の線Ｉ−Ｉに沿う断面図及び要部拡大図である。
【図３】（ａ）はアウタレース２１の説明図及び当接部２１１ａ及び２１２ａの拡大図、（ｂ）は保持器２２の説明図、（ｃ）は図３（ｂ）の線ＩＩ−ＩＩに沿う断面図、（ｄ）は図３（ｂ）の線ＩＩＩ−ＩＩＩに沿う断面図である。
【図４】（ａ）は軸受部４の下面側を示す斜視図、（ｂ）はキャップ部材３０の上面側を示す斜視図である。
【図５】（ａ）は従来の問題点の説明図、（ｂ）は冷間時における分割アウタレース２１１、２１２の当接部２１１ａ及び２１２ａの変位の説明図である。
【図６】本発明を適用したエンジンの他の例を示す図である。
【図７】アウタレース２１の変位の説明図である。
【図８】参考例の説明図である。
【発明を実施するための形態】
【００１５】
＜第１実施形態＞
図１は本発明を適用したエンジンの例を示す図であり、シリンダブロック１の気筒列方向の断面図、図２は図１の線Ｉ−Ｉに沿う断面図及び要部拡大図である。本実施形態のエンジンは、４サイクル直列４気筒ガソリンレシプロエンジンであるが、本発明は、他の気筒列配置、他の気筒数、或いはディーゼル形式等、他の種類のエンジンにも適用可能である。
【００１６】
本実施形態においてエンジン本体部材であるシリンダブロック１には、＃１乃至＃４の気筒が形成されており、各気筒＃１乃至＃４にはピストン２が設けられている。各ピストン２にはコンロッド３（図１において一部破断図にて示す）の上端部が回動自在に連結されており、コンロッド３の下端部はクランク軸１０のピン部に回動自在に連結されている。シリンダブロック１は、クランク軸１０を支持する転がり軸受２０が装着される複数の軸受部４を有する。この軸受部４には、キャップ部材３０がボルト４０により固定されている。本実施形態では、シリンダブロック１及びキャップ部材３０はアルミ合金製であることを想定するが、他の金属材料も採用可能である。
【００１７】
ここで、図３（ａ）乃至（ｄ）を参照して転がり軸受２０の構成について説明する。図３（ａ）はアウタレース２１の説明図及び当接部２１１ａ及び２１２ａの拡大図、図３（ｂ）は保持器２２の説明図、図３（ｃ）は図３（ｂ）の線ＩＩ−ＩＩに沿う断面図、図３（ｄ）は図３（ｂ）の線ＩＩＩ−ＩＩＩに沿う断面図である。
【００１８】
転がり軸受２０は、アウタレース２１と、複数の針状ころ２３を保持した環状の保持器２２とを備える。転がり軸受２０は本実施形態の場合、針状ころ２３を転動体とした針状ころ軸受であるが、他の種類の転動体を用いた転がり軸受も採用可能である。アウタレース２１は、一対の半円環状の分割アウタレース２１１、２１２からなる。分割アウタレース２１１、２１２の、互いに当接する各当接部２１１ａ、２１２ａは、これらを当接させる方向の力が作用した場合に、アウタレース２１の径方向外方への当接部２１１ａ、２１２ａの変位を促進させる形状を有している。
【００１９】
詳細には、本実施形態の場合、図３（ａ）の拡大図に示すように、当接部２１１ａ、２１２ａは、径方向外方側が先当たりする傾斜面である。図３（ａ）の拡大図に示した破線は、従来の当接部の面を示しており、アウタレースの中心点を通る線でアウタレースを分割した場合に当接部となる線である。本実施形態の当接部２１１ａ、２１２ａは径方向外方側が破線を越えていることが分かる。
【００２０】
保持器２２は、一対の半円環状の分割保持器２２ａ、２２ｂを組み合わせて環状に構成された公知の保持器である。針状ころ２３はその軸線周りに回転可能に保持されており、その外周側がアウタレース２１の内周面に、その内周側がクランク軸１０のジャーナル部の外周面に、それぞれ当接する。図３（ｃ）及び（ｄ）を参照して、分割保持器２２ａは、その側面を構成する一対のリング部２２１、一対のリング部２２１間に設けられ、針状ころ２３の脱落を防止する柱部２２２及び針状ころ２３を収容する空洞のポケット部２２３を備える。
【００２１】
柱部２２２とポケット部２２３とは周方向に交互に配置されている。柱部２２２は、径方向外方に針状ころ２３が脱落することを防止する外側柱部２２２ａと、径方向内方に針状ころ２３が脱落することを防止する内側柱部２２２ｂと、これら外側柱部２２２ａ及び内側柱部２２２ｂを連結する傾斜部２２２ｃとを有している。針状ころ２３は柱部２２２によりその脱落が防止されながら、ポケット部２２３内に回転自在に収容されている。分割保持器２２ｂも同様の構成である。
【００２２】
図２を参照して、軸受部４とキャップ部材３０との接合部（合わせ面部分）と、アウタレース２１との間には隙間部７が形成されている。分割アウタレース２１１及び２１２は、当接部２１１ａ、２１２ａが隙間部７の内側に位置するように配置される。本実施形態の場合、隙間部７は、軸受部４及びキャップ部材３０に凹部を設けて形成されている。図４（ａ）は軸受部４の下面側を示す斜視図、図４（ｂ）はキャップ部材３０の上面側を示す斜視図である。
【００２３】
軸受部４は、転がり軸受２０が装着される円形軸受孔の半分を形成する半円柱形状の切り欠き部４ａと、接合部４ｄに形成され、ボルト４０が螺着するネジ孔４ｂと、軸受部４の内周面（切り欠き部４ａ表面）に設けられた凹部４ｃと、を備える。キャップ部材３０は、転がり軸受２０が装着される円形軸受孔の残り半分を形成する半円柱形状の切り欠き部３１と、接合部３０ａに形成され、ボルト４０が挿通するボルト孔３２と、キャップ部材３０の内周面（切り欠き部３１表面）に設けられた凹部３３と、を備える。そして、凹部４ｃ、３３は隙間部７を形成することになる。
【００２４】
図２に戻り、２ヶ所の隙間部７のうちの一方（同図で右側の隙間部７）には、給油通路６が連通している。なお、本実施形態では、２ヶ所の隙間部７のうちの一方に給油通路６が連通しているが、双方の隙間部７に連通させる構成も採用可能である。本実施形態の場合、給油通路６はシリンダブロック１に形成されている。シリンダブロック１には、気筒列方向に延びるオイルギャラリ５が形成されている。
【００２５】
給油通路６の上流部６ａはオイルギャラリ５に連通している。給油通路６の下流部６ｂは切り欠き部４ａ、３１により確定される円形軸受孔に対する接線方向に上下方向に延在して隙間部７に連通しており、図４（ａ）に示すように、下流部６ｂの先端部は切り欠き部４ａから凹部４ｃに渡って開口している。給油通路６は、例えば、キャップ部材３０内部通路と外付け配管により形成することもできるが、シリンダブロック１に形成すると、全て内部通路で形成できるので簡便である。また、下流部６ｂが円形軸受孔に対する接線方向に上下方向に延在することで、ドリル加工等による縦孔状で形成できるので、給油通路６を比較的簡便に形成できる。
【００２６】
オイルギャラリ５から供給される潤滑油は、給油通路６を通って隙間部７へ到達し、隙間部７から軸受部４及びキャップ部材３０の両側方（クランク軸１０の軸方向と平行な方向）に噴出する。よって、各転がり軸受２０の周囲にミスト状に潤滑油が飛散し、転がり軸受２０に雰囲気給油をすることができる。これは、直接給油の場合と比べて、針状ころ２３の転動抵抗を低減しながら潤滑できるという利点がある。
【００２７】
次に、冷間時の作用について、従来の問題点を指摘しながら説明する。図５（ａ）は従来の問題点の説明図である。図５（ａ）に示すように、アルミ合金は熱膨張・収縮が鉄に比べると大きく、冷間時には矢印方向に収縮力が作用する。このとき、分割アウタレース２１１、２１２の各当接部には、図５（ａ）の拡大図に示すように、矢印ｄ１で示す当接方向の応力が軸受部４やキャップ部材３０から作用し、当接部が内側に変位してしまうという現象が生じる。この内側で突出した部分は、針状ころ３０と衝突するおそれがある。
【００２８】
次に、本実施形態について説明する。本実施形態では、まず、分割アウタレース２１１、２１２の当接部２１１ａ及び２１２ａが傾斜面となっている（図３（ａ））。ボルト４０で軸受部４とキャップ部材３０を固定した状態では、その締結力により、傾斜面同士が略全面に渡って当接している状態となる。図５（ｂ）に示すように、冷間時には矢印ｄ１で示す当接方向の応力が軸受部４やキャップ部材３０から作用するが、当接部２１１ａ及び２１２ａが径方向外方側が先当たりする傾斜面であるため、当接部２１１ａ及び２１２ａの径方向外側への変位が促進される。このとき、当接部２１１ａ及び２１２ａの径方向外側には隙間部７が位置しているため、当接部２１１ａ及び２１２ａの変位が許容され、図５（ａ）に示すように内側に突出しない。
【００２９】
このように本実施形態では、冷間時にシリンダブロック１やキャップ部材３０に熱収縮が生じると、当接部２１１ａ及び２１２ａが径方向外方へ変位する。よって、分割アウタレース２１１、２１２の当接部分と針状ころ２３との衝突を防止することができる。このことは、組付け時に分割アウタレース２１１、２１２の当接部２１１ａ及び２１２ａに軸受部４とキャップ部材３０との接合部沿いに位置ずれがあっても有利に働く。また、隙間部７を当接部２１１ａ及び２１２ａの逃げ空間としてだけではなく、隙間部７を利用して潤滑油を噴出させることで、転がり軸受２０、特に針状ころ２３に雰囲気給油をすることができ、針状ころ２３を好適に潤滑できる。
【００３０】
＜第２実施形態＞
上記第１実施形態では、隙間部７を、軸受部４及びキャップ部材３０に凹部４ｃ、３３を設けて形成したが、分割アウタレース２１１、２１２側の構成で隙間部７を形成してもよい。また、当接部２１１ａ及び２１２ａを径方向外方側が先当たりする傾斜面としたが、他の形状も採用可能である。
【００３１】
図６は、本発明を適用したエンジンの他の例を示す図であり、図２に相当する本実施形態におけるシリンダブロック１の断面図である。図７は本実施形態におけるアウタレース２１の変位の説明図である。以下、上記第１実施形態と同じ構成については同じ符号を付して説明を割愛し、異なる構成についてのみ説明する。
【００３２】
本実施形態では、軸受部４及びキャップ部材３０に凹部４ｃ、３３を設けて形成せず、隙間部７は分割アウタレース２１１、２１２に切り欠き部２１１２、２１２２を形成することにより、形成している。切り欠き部２１１２、２１２２は、当接部２１１１、２１２１近傍において分割アウタレース２１１、２１２の外周面を面削ぎしたものである。この結果、切り欠き部２１１２、２１２２の表面と、軸受部４及びキャップ部材３０の内周面との間に隙間部７が形成されている。給油通路６は、上記第１実施形態と同様の構成であり、下流部６ｂが隙間部７に連通している。これにより、隙間部７から潤滑油が噴出することになる。
【００３３】
分割アウタレース２１２の当接部２１２１は楔形状の凸部をなし、分割アウタレース２１１の当接部２１１１は、当接部２１２１が嵌合する楔形状の凹部をなしている。図７の上側の図を参照して、当接部２１２１は、径方向外側の傾斜面２１２１ａと、径方向内側の傾斜面２１２１ｂとを有している。また、当接部２１１１は、径方向外側の傾斜面２１１１ａと、径方向内側の傾斜面２１１１ｂとを有している。そして、矢印ｄ１で示す当接方向に対する傾斜面２１２１ａ及び２１１１ａの傾斜角度は、矢印ｄ１で示す当接方向に対する傾斜面２１２１ｂ及び２１１１ｂの傾斜角度よりも大きくなっている。矢印ｄ１で示す当接方向に対する傾斜面２１２１ｂ及び２１１１ｂの傾斜角度は０であること（平行）が好ましい。
【００３４】
温間時においては、図７の上側の図で示す状態にある。当接部２１１１に対して、当接部２１２１が更に深く嵌る余裕がある。当接部２１１１、２１１２の近傍において分割アウタレース２１１、２１２の内周面は円滑であり、切り欠き部２１１２、２１２２の表面も円滑な平面をなしている。
【００３５】
冷間時において矢印ｄ１で示す当接方向の応力が作用すると、図７の下側の図で示すように、当接部２１１１に対して、当接部２１２１が深く嵌まり、凹部である当接部２１１１が径方向内外に開く。このとき、矢印ｄ１で示す当接方向に対する傾斜面２１２１ａ及び２１１１ａの傾斜角度が、傾斜面２１２１ｂ及び２１１１ｂの傾斜角度よりも大きくなっているので、当接部２１１１は、その径方向外側部分が径方向外側に、より大きく変位して隙間部７に出っ張り、その径方向内側部分は、径方向内側に変位するものの最小限となる。このように、楔形状の傾斜角度を利用することで、径方向内側と外側との変位量に差を設け、径方向内側への出っ張りを最小にすることができる。なお、本実施形態の場合、当接部２１１１は、その径方向内側部分が内側に微量だけ突出する場合があることから、針状ころ２３との干渉を回避すべく、針状ころ２３の転動方向が矢印ｄ２方向となるように分割アウタレース２１１、２１２が組みつけられることが望ましい。
【００３６】
このように本実施形態においても、上記第１実施形態と同様の作用効果が得られる。そして、分割アウタレース２１１、２１２の構成で隙間部７が構成されるので、分割アウタレース２１１、２１２側の構成で、分割アウタレースの当接部分と針状ころ２３との衝突を防止し、しかも、針状ころ２３を好適に潤滑することができる。
【００３７】
なお、上記第１実施形態と上記第２実施形態とを組み合わせることも可能であり、例えば、上記第１実施形態において、凹部４ｃ、３３に代えて切り欠き部２１１２、２１２２を分割アウタレース２１１、２１２に形成することで隙間部７を形成したり、上記第１実施形態において、当接部２１１ａ、２１２ａに代えて、当接部２１１１ａ、２１２１ａを採用してもよい。
【００３８】
＜参考例＞
図８は参考例の説明図である。ここでは分割アウタレースの当接部分の、組み付け誤差に起因する段差の発生防止、冷間時の熱収縮による突出（図５（ａ））の防止を目的とした構成例を説明する。図８の構成例は、軸受部４に相当する軸受部４’、キャップ部材３０に相当するキャップ部材３０’を備える。本参考例では、転がり軸受２０’が装着される円形軸受孔が、軸受部４’とキャップ部材３０’とにより半分ずつ形成されるのではなく、軸受部４’の方が少なくしている。つまり、軸受部４’とキャップ部材３０’との接合部（合わせ面）Ｌｆが、クランク軸１０の中心を通る線Ｌ１（つまり一般的な合わせ面）よりも、軸受部４’に設定されている。
【００３９】
このため、軸受部４’の切り欠き部４ａ’は、半円柱形状ではなく、半円よりも小さい柱形状となっている。一方、キャップ部材３０’の切り欠き部は、半円状の部分３１’と、線Ｌ１よりも上方の長方形状の部分３４とを有している。長方形状の部分３４とアウタレース２１’との間には隙間７’が形成されており、これに給油通路６の下流部６ｂを連通させることで、上記第１及び第２実施形態と同様に、転がり軸受２０’に雰囲気給油をすることができる。
【００４０】
アウタレース２１’の組み付けの際、一対の分割アウタレースの当接部２１”は線Ｌ１近傍に位置させる。その際、キャップ部材３０’の切り欠き部３１’、３４を案内に利用できるので、組み付け誤差に起因して当接部２１”に段差が生じることを防止できる。また、軸受部４’はアルミ合金製であっても、キャップ部材３０’をアルミ合金製ではなく鉄製とすると、鉄は熱膨張・熱収縮がアルミ合金よりも極めて小さく、しかも本参考例ではキャップ部材３０’がアウタレース２１’を囲む範囲が大きくなることから、熱収縮によるアウタレース２１’の締め付け力が小さくなり、当接部２１”に作用する応力も小さくなる。よって、冷間時の熱収縮による当接部２１”の内側への突出（図５（ａ））を防止することもできる。
【００４１】
まとめると、本参考例によれば、一対の半円環状の分割アウタレースを含み、クランク軸を支持する転がり軸受と、前記転がり軸受が装着される軸受孔の一部を形成する軸受部を有するエンジン本体部材と、前記軸受部に固定され、前記軸受孔の残りの部分を形成するキャップ部材と、を備えたエンジンの軸受装置において、前記軸受孔が、前記軸受部により形成される半円未満の部分と、前記キャップ部材により形成される半円部分及び長方形部分と、を有するエンジンの軸受装置が提供される。そして、前記エンジン本体部材がアルミ合金製であり、前記キャップ部材が鉄製であってもよい。
【符号の説明】
【００４２】
１  シリンダブロック
４  軸受部
６  給油通路
７  隙間部
１０  クランク軸
２０  転がり軸受
３０  キャップ部材
２１１、２１２  分割アウタレース
２１１ａ、２１２ａ、２１１１、２１２１  当接部
【図１】
2010223267.tif 000003
【図２】
2010223267.tif 000004
【図３】
2010223267.tif 000005
【図４】
2010223267.tif 000006
【図５】
2010223267.tif 000007
【図６】
2010223267.tif 000008
【図７】
2010223267.tif 000009
【図８】
2010223267.tif 000010